(57)【要約】【課題】フロントキャビネットとバックキャビネットを互いに接合してなる筐体の内部に平面型のディスプレイが配備されている画像表示装置において、フロントキャビネットの左右両側壁部に突設された装飾リブの先端にバリや段差が形成されることのない画像表示装置を提供する。【解決手段】本発明に係る画像表示装置においては、フロントキャビネット３の左右両側壁部にそれぞれ、フロントキャビネット３の側壁から外側へ突出する装飾リブ９が設けられている。該装飾リブ９は、フロントキャビネット３とは別体に成型され、樹脂成型工程にて画像表示窓に沿う方向の離型が可能な断面形状を有している。【選択図】図１１
2011075638.tif 000002
【特許請求の範囲】
【請求項１】
フロントキャビネットとバックキャビネットを互いに接合してなる筐体の内部に平面型のディスプレイが配備され、フロントキャビネットには、その中央部に前記ディスプレイの画像を表示するための画像表示窓が設けられると共に、その左右両側壁部にそれぞれ、フロントキャビネットの側壁から外側へ突出する装飾リブが設けられている画像表示装置において、前記装飾リブは、樹脂成型工程にて画像表示窓に沿う方向の離型が可能な断面形状を有し、フロントキャビネットとは別体に成型されて、フロントキャビンネットの左右両側壁部に取り付けられていることを特徴とする画像表示装置。
【請求項２】
前記装飾リブは、フロントキャビネットに係合すべき係合部と、フロントキャビネットの側壁から外側へ突出する耳部とを有し、該耳部は、先端に向かって徐々に前後方向の幅が縮小する断面形状を有している請求項１に記載の画像表示装置。
【請求項３】
前記装飾リブの耳部は、先端に向かって互いの間隔が徐々に狭まる前面領域と背面領域を有すると共に、フロントキャビネットの側壁に対向する内面領域を有し、該内面領域は、前面領域と背面領域によって挟まれた肉厚部側へ凹んだ凹面状に形成されている請求項２に記載の画像表示装置。
【請求項４】
前記装飾リブの係合部には、フロントキャビネットの左右両側壁部に沿って配列された複数の突片に嵌合する複数のクリップ片が突設されている請求項２又は請求項３に記載の画像表示装置。
【発明の詳細な説明】
【技術分野】
【０００１】
本発明は、テレビジョン受像機や画像モニター等の画像表示装置に関するものである。
【背景技術】
【０００２】
一般にテレビジョン受像機においては、フロントキャビネットとバックキャビネットを互いに接合して薄型の筐体が構成され、該筐体の内部に、平面型のディスプレイと左右一対のスピーカとが配備されている。そして、フロントキャビネットには、ディスプレイの画像を表示するための画像表示窓が設けられると共に、該画像表示窓の下方位置に、左右一対のスピーカから発せられる音波を放出するための放音孔が開設されている。
【０００３】
この様なテレビジョン受像機においては、その外観に意匠的効果を与えるべく、フロントキャビネットに種々の装飾部品を配置することが行なわれている(特許文献１参照)。
【０００４】
例えば、フロントキャビネットの左右両側壁部にそれぞれ、フロントキャビネットの側壁部から外側へ突出する装飾リブを一体に成型することが考えられる。
【先行技術文献】
【特許文献】
【０００５】
【特許文献１】特開２００９−７５３７２号公報
【発明の概要】
【発明が解決しようとする課題】
【０００６】
しかしながら、装飾リブをフロントキャビネットと一体に成型する場合、樹脂成型工程において一対の金型を画像表示窓に対して垂直な方向(前後方向)に離間させる離型方式を採用することになるが、この場合、装飾リブの先端がパーティングラインとなるため、その位置にバリや段差が形成されて、外観上並びに安全上の問題があった。
【０００７】
そこで本発明の目的は、フロントキャビネットの左右両側壁部に突設された装飾リブの先端にバリや段差が形成されることのない画像表示装置を提供することである。
【課題を解決するための手段】
【０００８】
本発明に係る画像表示装置においては、フロントキャビネットとバックキャビネットを互いに接合してなる筐体の内部に平面型のディスプレイが配備され、フロントキャビネットには、その中央部に前記ディスプレイの画像を表示するための画像表示窓が設けられると共に、その左右両側壁部にそれぞれ、フロントキャビネットの側壁から外側へ突出する装飾リブが設けられている。
前記装飾リブは、樹脂成型工程にて画像表示窓に沿う左右方向の離型が可能な断面形状を有し、フロントキャビネットとは別体に成型されて、フロントキャビンネットの左右両側壁部に取り付けられている。
【０００９】
上記画像表示装置によれば、装飾リブが樹脂成型工程にて画像表示窓に沿う方向の離型が可能な断面形状を有しているので、装飾リブを樹脂成型する工程にて画像表示窓に沿う方向に一対の金型を離間させる離型方式を採用することによって、パーティングラインが装飾リブの突出方向とは逆側の端部に形成されるので、装飾リブの先端にバリや段差が形成されることはない。
尚、装飾リブの突出方向とは逆側の端部にバリや段差が形成されたとしても、そのバリや段差はキャビネットによって覆い隠され、若しくはキャビネット表面から後退した位置に形成されるので、問題になることはない。
【００１０】
具体的態様において、前記装飾リブは、フロントキャビネットに係合すべき係合部と、フロントキャビネットの側壁から外側へ突出する耳部とを有し、該耳部は、先端に向かって徐々に前後方向の幅が縮小する断面形状を有している。
該具体的態様によれば、装飾リブを半透明樹脂によって形成した場合、耳部の肉厚が先端に向かって徐々に幅が縮小するので、その透明度が先端に向かって徐々に変化し、これによってグラデーション効果が得られる。
【００１１】
他の具体的な態様において、前記装飾リブの耳部は、先端に向かって互いの間隔が徐々に狭まる前面領域と背面領域を有すると共に、フロントキャビネットの側壁に対向する内面領域を有し、該内面領域は、前面領域と背面領域によって挟まれた肉厚部側へ凹んだ凹面状に形成されている。
該具体的態様によれば、樹脂成型時の収縮によるひけが内面領域に発生し、前面領域や背面領域にはひけが発生し難いため、装飾リブの断面形状の変化(歪み)が軽微なものとなる。
【００１２】
更に具体的な態様において、前記装飾リブの係合部には、フロントキャビネットの左右両側壁部に沿って配列された複数の突片に嵌合する複数のクリップ片が突設されている。
該具体的態様によれば、ビス等の締結部材を用いることなく、フロントキャビネットに装飾リブを取り付けることが出来る。
【発明の効果】
【００１３】
本発明に係る画像表示装置によれば、フロントキャビネットの左右両側壁部に突設された装飾リブの先端にバリや段差が形成されることはなく、これによって装飾リブの外観に高い意匠的効果が得られると共に、安全性も確保される。
【図面の簡単な説明】
【００１４】
【図１】図１は、本発明に係る画像表示装置の正面図である。
【図２】図２は、該画像表示装置を前面側から見た斜視図である。
【図３】図３は、該画像表示装置を背面側から見た斜視図である。
【図４】図４は、該画像表示装置の縦断面図である。
【図５】図５は、装飾リブを具えたフロントキャビネットの斜視図である。
【図６】図６は、装飾リブを分解したフロントキャビネットの斜視図である。
【図７】図７は、装飾リブを具えたフロントキャビネットの要部を示す斜視図である。
【図８】図８は、フロントキャビネットの要部を示す斜視図である。
【図９】図９は、装飾リブの斜視図である。
【図１０】図１０は、装飾リブを具えたフロントキャビネットの水平断面図である。
【図１１】図１１は、装飾リブの拡大水平断面図である。
【発明を実施するための形態】
【００１５】
以下、本発明の実施の形態につき、図面に沿って具体的に説明する。
本発明に係る画像表示装置は、図１〜図３に示す如く、画像表示窓(11)を有する扁平な筐体(１)と、該筐体(１)を一定の高さ位置に支持するスタンド(２)とを具え、該筐体(１)は、フロントキャビネット(３)とバックキャビネット(４)を互いに接合して構成されている。フロントキャビネット(３)には、画像表示窓(11)の下方に露出する左右一対の放音孔(12)(12)が開設されている。
【００１６】
フロントキャビネット(３)の左右両側壁部には、フロントキャビネット(３)の上端から下端まで鉛直方向に伸びる左右一対の装飾リブ(９)(９)が取り付けられている。
装飾リブ(９)は、半透明の合成樹脂(例えばＡＢＳ樹脂、ポリカーボネート樹脂など)を材質とする樹脂成型品である。
【００１７】
図４に示す如く、フロントキャビネット(３)のフロントパネル部(31)とバックキャビネット(４)のバックパネル部(41)との間には、各種部品の収容空間が形成されている。
そして、フロントキャビネット(３)の内部に平面型のディスプレイ(５)が配備されると共に、バックキャビネット(４)の底部には、左右一対となるスピーカユニット(６)(６)が配備され、各スピーカユニット(６)には、前記放音孔(12)へ音波を導くための導音ブラケット(７)が取り付けられている。
【００１８】
図５及び図６に示す如く、フロントキャビネット(３)は、枠状のフロントパネル部(31)を具え、該フロントパネル部(31)の両側辺から後方へ突出する側壁部(33)(33)にそれぞれ前記の装飾リブ(９)が取り付けられている。
又、フロントキャビネット(３)のフロントパネル部(31)の下辺から後方へ突出する底壁部(32)に前記の放音孔(12)が開設されている。
【００１９】
装飾リブ(９)は、図１１に示す如くフロントパネル部(31)の前面部分に係合すべき前面係合部(92)と、フロントパネル部(31)の側面部分に係合すべき側面係合部(93)と、フロントキャビネット(３)の側壁から外側へ突出する耳部(91)とを有し、該耳部(91)は、先端に向かって互いの間隔が徐々に狭まる前面領域(91a)と背面領域(91b)を有すると共に、フロントパネル部(31)の側壁部(33)に対向する内面領域(95)を有し、該内面領域(95)は、側面係合部(93)の内面領域(95)よりも内側、即ち耳部(91)の前面領域(91a)と背面領域(91b)によって挟まれた肉厚部側へ凹んだ凹面状に形成されている。
【００２０】
装飾リブ(９)には、図９に示す如くその長手方向に沿って、装飾リブ(９)の背面側の端縁からフロントキャビネット側へ突出する複数の第１クリップ片(96)が突設されると共に、装飾リブ(９)の前面側の端縁からフロントキャビネット側へ突出する複数の第２クリップ片(97)が突設されており、各クリップ片(96)(97)にはクリップ孔が開設されている。
【００２１】
一方、フロントキャビネット(３)には、図８に示す如く、前記装飾リブ(９)の第１クリップ片(96)に対応して複数の第１突片(34)が形成されると共に、前記装飾リブ(９)の第２クリップ片(97)に対応して複数の第２突片(35)が形成されている。
【００２２】
そして、図７に示す如くフロントキャビネット(３)に装飾リブ(９)が取り付けられた状態で、装飾リブ(９)の第１クリップ片(96)及び第２クリップ片(97)のクリップ孔がフロントキャビネット(３)の第１突片(34)及び第２突片(35)にそれぞれ嵌合して、図１０の如くフロントキャビネット(３)の側壁部(33)に装飾リブ(９)が係止されることになる。
【００２３】
上述の如く装飾リブ(９)は半透明樹脂によって形成されており、然も図１１の如く耳部(91)がフロントキャビネット(３)の側壁から外側へ突出し、その肉厚が先端に向かって徐々に幅が縮小しているので、耳部(91)の透明度が先端に向かって徐々に変化し、これによってグラデーション効果が得られる。
【００２４】
装飾リブ(９)の樹脂成型工程においては、図１１に示す如く断面において画像表示窓と平行な方向(図１１の左右方向)に一対の金型を離間させる離型方式が採用される。
ここで、装飾リブ(９)の耳部(91)の内面領域(94)は耳部(91)の肉厚部側に凹んでいるが、離型方向が左右方向であるので、離型に支障はない。
【００２５】
これによって、離型時のパーティングラインが装飾リブ(９)の係合部(92)(93)側の端部に形成されることとなる。従って、装飾リブ(９)の先端Ｐにバリや段差が形成されることはない。
尚、装飾リブ(９)の係合部(92)(93)側の端部にバリや段差が形成されたとしても、そのバリや段差はフロントキャビネット(３)によって覆い隠され、若しくはキャビネット表面から後退した位置に形成されるので、問題になることはない。
【００２６】
又、装飾リブ(９)の樹脂成型工程においては、装飾リブ(９)の耳部(91)の内面領域(94)が耳部(91)の肉厚部側に凹んでいるので、樹脂の収縮に伴うヒケは、該内面領域(94)に集中的に発生し、耳部(91)の前面領域(91a)や背面領域(91b)には殆どヒケが発生することはない。
従って、樹脂成型時の樹脂の収縮に伴って装飾リブ(９)の耳部(91)に大きな変形を生じることはない。
【符号の説明】
【００２７】
(１)  筐体
(11)  画像表示窓
(２)  スタンド
(３)  フロントキャビネット
(31)  フロントパネル部
(33)  側壁部
(４)  バックキャビネット
(９)  装飾リブ
(91)  耳部
(91a) 前面領域
(91b) 背面領域
(92)  前面係合部
(93)  側面係合部
(94)  内面領域
【図１】
2011075638.tif 000003
【図２】
2011075638.tif 000004
【図３】
2011075638.tif 000005
【図４】
2011075638.tif 000006
【図５】
2011075638.tif 000007
【図６】
2011075638.tif 000008
【図７】
2011075638.tif 000009
【図８】
2011075638.tif 000010
【図９】
2011075638.tif 000011
【図１０】
2011075638.tif 000012
【図１１】
2011075638.tif 000013